(57)【要約】【課題】ワイヤレスマイクロホンからビデオカメラ等に音声信号を入力させる音声伝送システムにおいて、ワイヤレスマイクロホンのサイズを小型に維持したまま、トランスミッターを使用しているユーザーがビデオカメラ等を操作する際の操作性を改善する。【解決手段】トランスミッター１は、ヒューマン・インターフェース・デバイスを接続するための接続端子１６を有する。この接続端子１６に接続したヒューマン・インターフェース・デバイスを操作すると、トランスミッター１から、その操作内容に対応したデータが電波として送信される。レシーバー２では、受信した電波からこのデータが取得されて、このデータに対応した制御信号が通信端子２５から出力される。【選択図】図４
2008258910.tif 000002
【特許請求の範囲】
【請求項１】
マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有する撮像装置とを含むワイヤレス音声伝送システムにおいて、
前記音声送信装置は、
ヒューマン・インターフェース・デバイスを接続するための接続端子と、
前記接続端子に接続されたヒューマン・インターフェース・デバイスの操作内容に対応したデータを電波として送信するデータ送信手段と
を備え、
前記音声受信装置は、
通信端子と、
受信した電波から前記データを取得し、該データに対応した制御信号を前記通信端子から出力させるデータ処理手段と
を備え、
前記撮像装置は、
前記音声受信装置の前記通信端子から出力された制御信号を入力するための通信端子と
前記通信端子に入力した制御信号に応じて撮像装置内部を制御する制御手段と
を備えたことを特徴とするワイヤレス音声伝送システム。
【請求項２】
マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有する記録装置とを含むワイヤレス音声伝送システムにおいて、
前記音声送信装置は、
ヒューマン・インターフェース・デバイスを接続するための接続端子と、
前記接続端子に接続されたヒューマン・インターフェース・デバイスの操作内容に対応したデータを電波として送信するデータ送信手段と
を備え、
前記音声受信装置は、
通信端子と、
受信した電波から前記データを取得し、該データに対応した制御信号を前記通信端子から出力させるデータ処理手段と
を備え、
前記記録装置は、
前記音声受信装置の前記通信端子から出力された制御信号を入力するための通信端子と
前記通信端子に入力した制御信号に応じて記録装置内部を制御する制御手段と
を備えたことを特徴とするワイヤレス音声伝送システム。
【請求項３】
マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置の前記音声出力端子から出力される音声信号を入力する音声入力端子を有するオーディオミキサーとを含むワイヤレス音声伝送システムにおいて、
前記音声送信装置は、
ヒューマン・インターフェース・デバイスを接続するための接続端子と、
前記接続端子に接続されたヒューマン・インターフェース・デバイスの操作内容に対応したデータを電波として送信するデータ送信手段と
を備え、
前記音声受信装置は、
通信端子と、
受信した電波から前記データを取得し、該データに対応した制御信号を前記通信端子から出力させるデータ処理手段と
を備え、
前記オーディオミキサーは、
前記音声受信装置の前記通信端子から出力された制御信号を入力するための通信端子と
前記通信端子に入力した制御信号に応じてオーディオミキサー内部を制御する制御手段と
を備えたことを特徴とするワイヤレス音声伝送システム。
【請求項４】
マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と
から成るワイヤレスマイクロホンにおいて、
前記音声送信装置は、
ヒューマン・インターフェース・デバイスを接続するための接続端子と、
前記接続端子に接続されたヒューマン・インターフェース・デバイスの操作内容に対応したデータを電波として送信するデータ送信手段と
を備え、
前記音声受信装置は、
通信端子と、
受信した電波から前記データを取得し、該データに対応した制御信号を前記通信端子から出力させるデータ処理手段と
を備えたことを特徴とするワイヤレスマイクロホン。
【請求項５】
請求項４に記載のワイヤレスマイクロホンにおいて、
前記音声送信装置は、前記マイクロホンからの音声信号をアナログ／デジタル変換して前記変調・送信手段に供給するアナログ／デジタル変換回路を含んでおり、
前記音声送信装置の前記データ送信手段は、
前記接続端子に接続されたヒューマン・インターフェース・デバイスの操作内容に対応した制御データを発生する制御回路と、
前記制御回路から発生した制御データを、前記アナログ／デジタル変換回路から出力されるデジタル音声信号に付加する付加回路と
から成り、
前記音声受信装置の前記データ処理手段は、
前記受信・復調手段によって復調されたデジタル音声信号から前記制御データを抽出する抽出回路と、
前記抽出回路によって抽出された前記制御データに対応した制御信号を前記通信端子から出力させる制御回路と
から成ることを特徴とするワイヤレスマイクロホン。
【請求項６】
請求項４に記載のワイヤレスマイクロホンにおいて、
前記音声送信装置の前記データ送信手段は、
トーン信号発生回路と、
前記接続端子に接続されたヒューマン・インターフェース・デバイスの操作内容に対応したトーン信号を前記トーン信号発生回路に発生させる制御回路と、
前記トーン信号発生回路から発生したトーン信号を、マイクロホンからの音声信号に重畳する加算回路と
から成り、
前記音声受信装置の前記データ処理手段は、
前記受信・復調手段によって復調された音声信号からトーン信号を検出するトーン信号検出回路と、
前記トーン信号検出回路によって検出されたトーン信号に応じた制御信号を前記通信端子から出力させる制御回路と
から成ることを特徴とするワイヤレスマイクロホン。
【請求項７】
請求項４に記載のワイヤレスマイクロホンにおいて、
前記音声送信装置の前記データ送信手段は、
前記接続端子に接続されたヒューマン・インターフェース・デバイスの操作内容に対応したデータを発生する制御回路と
前記マイクロホンからの音声信号の送信周波数帯とは別の周波数帯の電波を、前記制御回路からの前記データによって変調して送信する第２の変調・送信手段と
から成り、
前記音声受信装置の前記データ処理手段は、
前記音声送信装置の前記第２の変調・送信手段から送信された電波を受信して前記データを復調する第２の受信・復調手段と、
前記第２の受信・復調手段によって復調されたデータに対応した制御信号を前記通信端子から出力させる制御回路と
から成ることを特徴とするワイヤレスマイクロホン。
【請求項８】
マイクロホンと、
前記マイクロホンからの音声信号によって変調した電波を送信する変調・送信手段と、
ヒューマン・インターフェース・デバイスを接続するための接続端子と、
前記接続端子に接続されたヒューマン・インターフェース・デバイスの操作内容に対応したデータを電波として送信するデータ送信手段と
を備えたことを特徴とする音声送信装置。
【請求項９】
マイクロホンと、
前記マイクロホンからの音声信号によって変調した電波を送信する変調・送信手段と、
ヒューマン・インターフェース・デバイスを接続するための接続端子と、
前記接続端子に接続されたヒューマン・インターフェース・デバイスの操作内容に対応したデータを電波として送信するデータ送信手段と
を有する音声送信装置から送信された電波を受信する音声受信装置において、
音声信号を復調する受信・復調手段と、
前記受信・復調手段によって復調された音声信号を出力する音声出力端子と、
通信端子と、
受信した電波から前記データを取得し、該データに対応した制御信号を前記通信端子から出力させるデータ処理手段と
を備えたことを特徴とする音声受信装置。
【請求項１０】
音声出力端子及び通信端子を有する音声受信装置から音声信号を入力する音声入力端子を有する撮像装置において、
前記音声受信装置の前記通信端子から出力された制御信号を入力するための通信端子と
前記通信端子に入力した制御信号に応じて撮像装置内部を制御する制御手段と
を備えたことを特徴とする撮像装置。
【請求項１１】
音声出力端子及び通信端子を有する音声受信装置から音声信号を入力する音声入力端子を有する記録装置において、
前記音声受信装置の前記通信端子から出力された制御信号を入力するための通信端子と
前記通信端子に入力した制御信号に応じて記録装置内部を制御する制御手段と
を備えたことを特徴とする記録装置。
【請求項１２】
音声出力端子及び通信端子を有する音声受信装置から音声信号を入力する音声入力端子を有するオーディオミキサーにおいて、
前記音声受信装置の前記通信端子から出力された制御信号を入力するための通信端子と
前記通信端子に入力した制御信号に応じてオーディオミキサー内部を制御する制御手段と
を備えたことを特徴とするオーディオミキサー。
【発明の詳細な説明】
【技術分野】
【０００１】
本発明は、ワイヤレスマイクロホンを用いて撮像装置，記録装置またはオーディオミキサーに音声を伝送させるシステムや、そうしたシステムを構成するワイヤレスマイクロホン，音声送信装置，音声受信装置，撮像装置，記録装置，オーディオミキサーに関する。
【背景技術】
【０００２】
近年、ニュース番組等の取材現場では、ワイヤレスマイクロホンを用いて伝送した音声を収録するという取材形態が普及しつつある。図１は、ワイヤレスマイクロホンの外観例を示す図である。このうち、図１Ａは、音声の送信側の装置であるワイヤレスマイクロホントランスミッター（以下トランスミッターと呼ぶ）を示している。各トランスミッター８１，８２は、基本的な構成として、マイクロホン（トランスミッター８２の場合にはケーブルで接続されたピンマイクであるが、ピンマイクは図示を省略している）と、そのマイクロホンからの音声信号によって変調した電波を送信する変調・送信手段とを有している。トランスミッター８１は、手で握るハンドマイクタイプのトランスミッターである。トランスミッター８２は、腰のベルト等に取り付けるタイプのトランスミッターである。
【０００３】
図１Ｂは、音声の受信側の装置であるワイヤレスマイクロホンレシーバー（以下レシーバーと呼ぶ）を示している。レシーバー８３は、基本的な構成として、トランスミッター８１やトランスミッター８２から送信された電波を受信して音声信号を復調する受信・復調手段と、この復調した音声信号を外部に出力する出力端子とを有している。
【０００４】
図２は、ＥＮＧ取材での音声収録のために図１のトランスミッター８１及びレシーバー８３を用いた音声伝送システムを例示する図である。図２Ａの例では、トランスミッター８１は、インタビューを行うレポーターが使用する。レシーバー８３は、レコーダー（ＶＴＲあるいは光ディスク装置）一体型のビデオカメラ９１に設けられたスロットに装着（またはケーブルでビデオカメラ９１に接続）する。そして、レシーバー８３からビデオカメラ９１に入力された音声信号を、ビデオカメラ９１で撮影される映像とともにビデオカメラ９１に収録する。
【０００５】
図２Ｂの例では、トランスミッター８１はレポーターが使用し、レシーバー８３は、オーディオミキサー９２にケーブルで接続する。そして、レシーバー８３からオーディオミキサー９２に入力された音声信号をオーディオミキサー９２内でミキシングまたはスイッチングし、オーディオミキサー９２から出力した音声信号を図示しないＶＴＲ（または、オーディオレコーダーや、レコーダー一体型のビデオカメラ）に収録する。
【０００６】
従来、この図１のようなワイヤレスマイクロホンでは、トランスミッター内部に、可聴帯域外の特定周波数のトーン信号を発振する回路を設けて、このトーン信号を音声信号に重畳してトランスミッターから送信し、さらに、レシーバー内部にこのトーン信号を検出する回路を設けることにより、例えば次のような情報伝達が行われていた。
・レシーバーが、トランスミッターからの電波であることを識別し、妨害波と区別する。
・トランスミッター内の電池の電圧が低下したことをレシーバーに伝え、レシーバーのインジケータを点灯させる。
【０００７】
また従来、こうしたワイヤレスマイクロホンでは、ワイヤレスマイクロホンの小型化を実現するために、トランスミッターやレシーバーには、各々の機器自体の設定操作を行うための最小限の操作ボタン類しか設けられていなかった。
【０００８】
また従来、こうしたワイヤレスマイクロホンにおいて、レシーバーが、電波の受信レベルに基づいて電波の空き周波数を検出し、検出した空き周波数を示す情報をビデオカメラやオーディオミキサーに出力する（ビデオカメラやオーディオミキサーではこの情報を表示する）ことにより、ビデオカメラやオーディオミキサーの操作者が、空き周波数を確認してワイヤレスマイクロホンの使用周波数を設定できるようにした技術も提案されていた（特許文献１参照）。
【０００９】
【特許文献１】特開２００７−３６７３５号公報
【発明の開示】
【発明が解決しようとする課題】
【００１０】
このように、従来のワイヤレスマイクロホンでは、音声信号にトーン信号を重畳して伝送することは行われていたが、そのトーン信号は、妨害波との識別や、電池の電圧低下の警告表示のためなどに利用されるにとどまっていた。
【００１１】
ところで、こうした従来のワイヤレスマイクロホンを用いた図２Ａや図２Ｂのような音声伝送システムでは、ビデオカメラやオーディオミキサーの操作は、レポーターとは別の専用のオペレーター（カメラマンや音声担当スタッフ）が行うか、あるいは、そうしたオペレーターが同行せずにレポーターが単独で取材を行う場合は、レポーター自身がビデオカメラやオーディオミキサーの場所まで移動して行っていた。
【００１２】
しかし、レポーターが操作の都度ビデオカメラやオーディオミキサーの場所に移動しなければならないのでは、操作性が悪く、取材の円滑な進行の妨げにもなる。他方、専用のオペレーターが操作するようにした場合には、取材を行うために必要な人員が増えてしまう。
【００１３】
ここで、レポーターが単独で取材を行う場合に、ビデオカメラやオーディオミキサーの場所まで移動せずにそれらの操作を行えるようにするための一方法としては、トランスミッターに、ビデオカメラやオーディオミキサーを遠隔操作するための専用の操作ボタン類を設けることが考えられる。
【００１４】
しかし、こうした専用の操作ボタン類をトランスミッターに追加することは、従来から実現を図ってきたワイヤレスマイクロホンの小型化の障害となってしまう。
【００１５】
逆に、小型であることを維持するためにこうした専用の操作ボタン類として寸法の小さいものを採用すると、操作性が悪化してしまう。
【００１６】
そして、こうした専用の操作ボタン類を設ける場合には、新しい機能を追加（遠隔操作を行える項目を追加）しようとすると、それに応じて操作ボタン類の数が増えていくので、操作系が複雑になり、誤操作の原因にもなってしまう。
【００１７】
また、前述の特許文献１で提案されている技術は、ビデオカメラやオーディオミキサーの操作者がワイヤレスマイクロホンの使用周波数を容易に設定可能にするための技術であり、トランスミッターを使用しているユーザー（レポーターなど）がビデオカメラやオーディオミキサーを容易に操作可能にするための技術ではなかった。
【００１８】
本発明は、上述の点に鑑み、図２に例示したような、ワイヤレスマイクロホンから撮像装置や記録装置やオーディオミキサーに音声信号を入力させる音声伝送システムにおいて、ワイヤレスマイクロホンのサイズを小型に維持したまま、トランスミッターを使用しているユーザーが撮像装置や記録装置やオーディオミキサーを操作する際の操作性を改善することを課題としてなされたものである。
【課題を解決するための手段】
【００１９】
本発明は、マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有する撮像装置とを含むワイヤレス音声伝送システムにおいて、
前記音声送信装置は、
ヒューマン・インターフェース・デバイスを接続するための接続端子と、
前記接続端子に接続されたヒューマン・インターフェース・デバイスの操作内容に対応したデータを電波として送信するデータ送信手段と
を備え、
前記音声受信装置は、
通信端子と、
受信した電波から前記データを取得し、該データに対応した制御信号を前記通信端子から出力させるデータ処理手段と
を備え、
前記撮像装置は、
前記音声受信装置の前記通信端子から出力された制御信号を入力するための通信端子と
前記通信端子に入力した制御信号に応じて撮像装置内部を制御する制御手段と
を備えたことを特徴とするワイヤレス音声伝送システムである。
【００２０】
また本発明は、マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有する記録装置とを含むワイヤレス音声伝送システムにおいて、
前記音声送信装置は、
ヒューマン・インターフェース・デバイスを接続するための接続端子と、
前記接続端子に接続されたヒューマン・インターフェース・デバイスの操作内容に対応したデータを電波として送信するデータ送信手段と
を備え、
前記音声受信装置は、
通信端子と、
受信した電波から前記データを取得し、該データに対応した制御信号を前記通信端子から出力させるデータ処理手段と
を備え、
前記記録装置は、
前記音声受信装置の前記通信端子から出力された制御信号を入力するための通信端子と
前記通信端子に入力した制御信号に応じて記録装置内部を制御する制御手段と
を備えたことを特徴とするワイヤレス音声伝送システムである。
【００２１】
また本発明は、マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置の前記音声出力端子から出力される音声信号を入力する音声入力端子を有するオーディオミキサーとを含むワイヤレス音声伝送システムにおいて、
前記音声送信装置は、
ヒューマン・インターフェース・デバイスを接続するための接続端子と、
前記接続端子に接続されたヒューマン・インターフェース・デバイスの操作内容に対応したデータを電波として送信するデータ送信手段と
を備え、
前記音声受信装置は、
通信端子と、
受信した電波から前記データを取得し、該データに対応した制御信号を前記通信端子から出力させるデータ処理手段と
を備え、
前記オーディオミキサーは、
前記音声受信装置の前記通信端子から出力された制御信号を入力するための通信端子と
前記通信端子に入力した制御信号に応じてオーディオミキサー内部を制御する制御手段と
を備えたことを特徴とするワイヤレス音声伝送システムである。
【００２２】
また本発明は、これらのワイヤレス音声伝送システムを構成するワイヤレスマイクロホン，音声送信装置，音声受信装置，撮像装置，記録装置及びオーディオミキサーである。
【００２３】
本発明では、ワイヤレスマイクロホンを構成する音声送信装置（トランスミッター）に、ヒューマン・インターフェース・デバイスを接続するための接続端子が設けられている。この接続端子にヒューマン・インターフェース・デバイスを接続してそのデバイスを操作すると、音声送信装置内のデータ送信手段により、その操作内容に対応したデータが電波として送信される。
【００２４】
音声受信装置（レシーバー）では、データ処理手段により、音声送信装置から受信した電波からこのデータが取得されて、このデータに対応した制御信号が通信端子から出力される。
【００２５】
このワイヤレスマイクロホンを用いて音声信号が入力される撮像装置や記録装置やオーディオミキサーでは、この音声受信装置からの制御信号が通信端子に入力される。そして、撮像装置や記録装置やオーディオミキサー内の制御手段が、この制御信号に応じて撮像装置や記録装置やオーディオミキサーの内部を制御する。
【００２６】
これにより、音声送信装置を使用するユーザーが、音声送信装置に接続したヒューマン・インターフェース・デバイスによって撮像装置や記録装置やオーディオミキサーを遠隔操作することができる。
【００２７】
そして、音声送信装置に接続するヒューマン・インターフェース・デバイスとしては、複雑な操作を行う場合にはキーボードのような多数の操作ボタンを有するデバイスを使い、単純な操作を行う場合にはマウスのような１〜２個程度の操作ボタンを有するデバイスを使うというように、用途に応じて操作ボタンの増減を自由に行うことが可能である。
【００２８】
また、ヒューマン・インターフェース・デバイスとしては、ユーザーが操作しやすい形状や大きさのデバイスを選択することが可能なので、ユーザーの好みに合った操作系を構築することができる。
【００２９】
さらに、音声送信装置自体には遠隔操作のための操作ボタン類を設けないので、ワイヤレスマイクロホンのサイズは従来どおり小型に維持することができる。
【００３０】
これにより、ワイヤレスマイクロホンから撮像装置や記録装置やオーディオミキサーに音声信号を入力させる音声伝送システムにおいて、ワイヤレスマイクロホンのサイズを小型に維持したまま、音声送信装置（トランスミッター）を使用しているユーザーが撮像装置や記録装置やオーディオミキサーを操作する際の操作性を改善することができる。
【発明の効果】
【００３１】
本発明によれば、ワイヤレスマイクロホンから撮像装置や記録装置やオーディオミキサーに音声信号を入力させる音声伝送システムにおいて、ワイヤレスマイクロホンのサイズを小型に維持したまま、音声送信装置（トランスミッター）を使用しているユーザーが撮像装置や記録装置やオーディオミキサーを操作する際の操作性を改善することができるという効果が得られる。
【発明を実施するための最良の形態】
【００３２】
以下、本発明の実施の形態を図面を用いて具体的に説明する。なお、以下では、ワイヤレスマイクロホンからビデオカメラに音声信号を入力させる音声伝送システムと、ワイヤレスマイクロホンからオーディオミキサーに音声信号を入力させる音声伝送システムとの２つのシステムについて説明する。
【００３３】
〔ビデオカメラに音声信号を入力させるシステム〕
図３は、本発明を適用した音声伝送システムの一例を示す図である。このシステムは、ＥＮＧ取材での音声収録のために、ワイヤレスマイクロホンを用いて伝送した音声を、レコーダー（ＶＴＲあるいは光ディスク装置）一体型のビデオカメラに入力させるようにしたものである。
【００３４】
ワイヤレスマイクロホントランスミッター（以下トランスミッターと呼ぶ）１は、インタビューを行うレポーターが使用する。図ではトランスミッター１をハンドマイクタイプのものとして示しているが、トランスミッター１は腰のベルト等に取り付けるタイプのもの（図２Ａに示したトランスミッター８２のような形状のもの）であってもよい。
【００３５】
ワイヤレスマイクロホンレシーバー（以下レシーバーと呼ぶ）２は、レコーダー一体型のビデオカメラ３に設けられたスロットに装着（またはケーブルでビデオカメラ３に接続）される。そして、トランスミッター１からレシーバー２に伝送される音声信号を、レシーバー２からビデオカメラ３に入力させて、ビデオカメラ３で撮影される映像とともにビデオカメラ３に収録する。
【００３６】
このシステムでは、レポーターが単独で取材を行う場合に、レポーターは、手元のＵＳＢ（Universal Serial Bus）対応のマウス４をクリックすることによってビデオカメラ３を遠隔操作するようになっている。次に、このような方法でのビデオカメラ３の操作を可能にするためのトランスミッター１及びレシーバー２の構成について説明する。
【００３７】
図４は、トランスミッター１及びレシーバー２の構成例を示すブロック図である。この例では、トランスミッター１及びレシーバー２は、デジタル方式のワイヤレスマイクロホンである。
【００３８】
トランスミッター１には、マイクロホン１０と、マイクロホン１０からの音声信号をアナログ／デジタル変換するＡ／Ｄ変換器１１と、Ａ／Ｄ変換器１１からのデジタル音声信号をパケット化するパケット化回路１２と、パケット化回路１２から出力されたパケット信号によって変調した電波を送信する変調回路１３，アンプ１４及び送信アンテナ１５とが設けられている。トランスミッター１が腰のベルト等に取り付けるタイプのものである場合には、マイクロホン１０は、ケーブルで接続されたピンマイクである。
【００３９】
さらに、トランスミッター１には、ＵＳＢ端子１６と、マイクロコンピュータ１７とが設けられている。
【００４０】
マイクロコンピュータ１７には、トランスミッター１にＵＳＢホスト機能を持たせるプログラムが格納されている。
【００４１】
また、マイクロコンピュータ１７には、パケット化回路１２を制御するプログラムとして、ＵＳＢ端子１６に接続されたＵＳＢ対応のヒューマン・インターフェース・デバイス（マウス，キーボード等）の操作内容に対応した制御データを付加したパケット信号を生成させるプログラムが格納されている。
【００４２】
このパケット化回路１２制御用のプログラムには、マウスの操作内容と制御データとの対応関係を示すテーブルデータとして、図５に示すような、左クリックと録画開始を示す制御データとを対応させ、右クリックと録画終了を示す制御データとを対応させたテーブルデータが用意されている。
【００４３】
レシーバー２には、トランスミッター１から送信された電波を受信してパケット信号を復調する受信アンテナ１８，アンプ１９及び復調回路２０と、復調回路２０で復調されたパケット信号からデジタル音声信号，制御データをそれぞれ抽出するアンパケット化回路２１と、アンパケット化回路２１で抽出されたデジタル音声信号をデジタル／アナログ変換するＤ／Ａ変換器２２と、Ｄ／Ａ変換器２２からのアナログ音声信号を出力する音声出力端子２３とが設けられている。
【００４４】
さらに、レシーバー２には、マイクロコンピュータ２４と、シリアル通信用の通信端子２５とが設けられている。
【００４５】
アンパケット化回路２１で抽出された制御データは、マイクロコンピュータ２４に送られる。マイクロコンピュータ２４は、この制御データが示す動作を命令する制御信号を通信端子２５から出力する。
【００４６】
図６は、図３のビデオカメラ３の構成の概要を示すブロック図である。このビデオカメラ３は、撮像系４１，映像信号処理系４２，音声信号処理系４３，記録再生系４４の部分は、通常のレコーダー一体型のビデオカメラと同様なハードウェア構成なので簡略化して示している。
【００４７】
ビデオカメラ３には、レシーバー２の音声出力端子２３（図４）から出力されたアナログ音声信号を入力するための音声入力端子４５と、レシーバー２の通信端子２５（図４）から出力された制御信号を入力するための通信端子４６とが設けられている。
【００４８】
音声入力端子４５に入力したアナログ音声信号は、音声処理系４３に送られる。通信端子４６に入力した制御信号は、ビデオカメラ３内を制御するマイクロコンピュータ４７に送られる。
【００４９】
マイクロコンピュータ４７は、この制御信号が録画開始を指示するものである場合には、ビデオカメラ３の操作パネル（図示略）で録画開始操作が行われた場合と同じく、映像信号処理系４２，音声信号処理系４３及び記録再生系４４を制御して映像及び音声の記録を開始させる。
【００５０】
他方、この制御信号が録画終了を指示するものである場合は、マイクロコンピュータ４７は、操作パネルで録画終了操作が行われた場合と同じく、映像信号処理系４２，音声信号処理系４３及び記録再生系４４を制御して映像及び音声の記録を終了させる。
【００５１】
この図３のシステムでは、トランスミッター１を使用するレポーターが、マウス４を
トランスミッター１のＵＳＢ端子１６（図４）に接続した状態で、マウス４を左クリックすると、トランスミッター１から、録画開始を示す制御データが電波として送信される。また、マウス４を右クリックすると、トランスミッター１から、録画終了を示す制御データが電波として送信される。
【００５２】
レシーバー２では、トランスミッター１から受信した電波からこの制御データが取得されて、この制御データが示す動作を命令する制御信号が通信端子２５から出力される。
【００５３】
ビデオカメラ３では、レシーバー２から通信端子４６に入力されるこの制御信号に基づき、マイクロコンピュータ４７が、録画の開始や終了を制御する。
【００５４】
これにより、トランスミッター１を使用するレポーターが、トランスミッター１に接続したマウス４によってビデオカメラ３を遠隔操作することができる。
【００５５】
〔オーディオミキサーに音声信号を入力させるシステム〕
次に、図７は、本発明を適用した音声伝送システムの別の一例を示す図である。このシステムは、ＥＮＧ取材での音声収録のために、ワイヤレスマイクロホンを用いて伝送した音声をオーディオミキサーに入力させるようにしたものである。
【００５６】
このシステムにおいて、トランスミッター１及びレシーバー２は、図３のシステムと同一のハードウェア構成（図４参照）なのでここでも図３と同一符号を付している。
【００５７】
また、ここでも、トランスミッター１内のマイクロコンピュータ１７（図４）には、トランスミッター１にＵＳＢホスト機能を持たせるプログラムが格納されるとともに、パケット化回路１２（図４）を制御するプログラムとして、ＵＳＢ端子１６（図４）に接続されたＵＳＢ対応のヒューマン・インターフェース・デバイスの操作内容に対応した制御データを付加したパケット信号を生成させるプログラムが格納されている。
【００５８】
この図７のシステムでは、トランスミッター１は、インタビューを行うレポーターが使用する。レシーバー２は、オーディオミキサー５にケーブルで接続する。そして、レシーバー２からオーディオミキサー５に入力された音声信号を、オーディオミキサー５内でミキシングまたはスイッチングし、オーディオミキサー５から出力した音声信号を図示しないＶＴＲ（または、オーディオレコーダーや、レコーダー一体型のビデオカメラ）に収録する。
【００５９】
このシステムでは、レポーターが単独で取材を行う場合に、レポーターは、手元のＵＳＢ対応のキーボード６を操作することによってオーディオミキサー５を遠隔操作するようになっている。
【００６０】
そのために、トランスミッター１内のマイクロコンピュータ１７に格納されているパケット化回路１２制御用のプログラムには、キーボードの操作内容と制御データとの対応関係を示すテーブルデータとして、図８に示すような、上向きのカーソルキー「↑」の操作と出力ボリュームの増加を示す制御データとを対応させ、下向きのカーソルキー「↓」の操作と出力ボリュームの減少を示す制御データとを対応させ、右向きのカーソルキー「→」の操作と入力ボリュームの増加を示す制御データとを対応させ、左向きのカーソルキー「←」の操作と入力ボリュームの減少を示す制御データとを対応させ、テンキーのうちのキー「１」と音声信号をミキシングすることを示す制御データとを対応させ、テンキーのうちのキー「２」と音声信号をミキシングしないことを示す制御データとを対応させたテーブルデータが用意されている。
【００６１】
図９は、図７のオーディオミキサー５の構成の概要を示すブロック図である。このオーディオミキサー５は、４チャンネルの音声信号をミキシング可能なオーディオミキサーであり、４つの音声入力端子５１ａ〜５１ｄが設けられている。
【００６２】
各音声入力端子５１ａ〜５１ｄに入力した音声信号は、それぞれアンプ５２ａ〜５２ｄ，可変ボリューム（フェーダ）５３ａ〜５３ｄ，オン／オフを切り替え可能なスイッチ５４ａ〜５４ｄを介して、ミキシングアンプ５５に供給される。そして、ミキシングアンプ５５の出力音声信号が、可変ボリューム５６を介して音声出力端子５７から出力される。
【００６３】
また、オーディオミキサー５には、各音声入力端子５１ａ〜５１ｄに１対１に対応させて、レシーバー２の通信端子２５（図４）と同一仕様のシリアル通信用の通信端子５８ａ〜５８ｄが設けられている。
【００６４】
レシーバー２の音声出力端子２３，通信端子２５（図４）は、音声入力端子５１ａ〜５１ｄ，通信端子５８ａ〜５８ｄのうちの対応する音声入力端子，通信端子にそれぞれケーブルで接続されている（例えば、音声出力端子２３が音声入力端子５１ａに接続される場合は、通信端子２５は通信端子５８ａに接続されている）。
【００６５】
各通信端子５８ａ〜５８ｄに入力した制御信号は、オーディオミキサー５内を制御するマイクロコンピュータ５９に送られる。
【００６６】
マイクロコンピュータ５９は、この制御信号が出力ボリュームの増加を指示するものである場合には、オーディオミキサー５の操作パネル（図示略）で出力ボリュームを増加させる操作が行われた場合と同じく、可変ボリューム５６を制御して出力ボリュームを増加させる。
【００６７】
また、この制御信号が出力ボリュームの減少を指示するものである場合には、マイクロコンピュータ５９は、操作パネルで出力ボリュームを減少させる操作が行われた場合と同じく、可変ボリューム５６を制御して出力ボリュームを減少させる。
【００６８】
また、この制御信号が入力ボリュームの増加を指示するものである場合には、マイクロコンピュータ５９は、操作パネルで入力ボリュームを増加させる操作が行われた場合と同じく、可変ボリューム５３ａ〜５３ｄのうち、制御信号が入力された通信端子と対応する音声入力端子に入力された音声信号が供給される可変ボリューム（例えば通信端子５８ａに制御信号が入力された場合には可変ボリューム５３ａ）を制御して入力ボリュームを増加させる。
【００６９】
また、この制御信号が入力ボリュームの減少を指示するものである場合には、マイクロコンピュータ５９は、操作パネルで入力ボリュームを減少させる操作が行われた場合と同じく、可変ボリューム５３ａ〜５３ｄのうち、制御信号が入力された通信端子と対応する音声入力端子に入力された音声信号が供給される可変ボリュームを制御して入力ボリュームを減少させる。
【００７０】
また、この制御信号がミキシングを行うことを指示するものである場合には、マイクロコンピュータ５９は、操作パネルでトランスミッター１からの音声をミキシングする操作が行われた場合と同じく、スイッチ５４ａ〜５４ｄのうち、制御信号が入力された通信端子と対応する音声入力端子に入力された音声信号が供給されるスイッチ（例えば通信端子５８ａに制御信号が入力された場合にはスイッチ５４ａ）をオンにする。
【００７１】
また、この制御信号がミキシングを行わないことを指示するものである場合には、マイクロコンピュータ５９は、操作パネルでトランスミッター１からの音声をミキシングしない操作が行われた場合と同じく、スイッチ５４ａ〜５４ｄのうち、制御信号が入力された通信端子と対応する音声入力端子に入力された音声信号が供給されるスイッチをオフにする。
【００７２】
この図７のシステムでは、トランスミッター１を使用するレポーターが、キーボード６をトランスミッター１のＵＳＢ端子１６（図４）に接続した状態で、キーボード６の上向きのカーソルキー「↑」を押すと、トランスミッター１から、出力ボリュームの増加を示す制御データが電波として送信される。また、キーボード６の下向きのカーソルキー「↓」を押すと、トランスミッター１から、出力ボリュームの減少を示す制御データが電波として送信される。
【００７３】
また、キーボード６の右向きのカーソルキー「→」を押すと、トランスミッター１から、入力ボリュームの増加を示す制御データが電波として送信される。また、キーボード６の左向きのカーソルキー「←」を押すと、トランスミッター１から、入力ボリュームの減少を示す制御データが電波として送信される。
【００７４】
また、キーボード６のテンキーのうちのキー「１」を押すと、トランスミッター１から、ミキシングを行うことを示す制御データが電波として送信される。また、キーボード６のテンキーのうちのキー「２」を押すと、トランスミッター１から、ミキシングを行わないことを示す制御データが電波として送信される。
【００７５】
レシーバー２では、トランスミッター１から受信した電波からこの制御データが取得されて、この制御データが示す動作を命令する制御信号が通信端子２５から出力される。
【００７６】
オーディオミキサー５では、レシーバー２から入力されるこの制御信号に基づき、マイクロコンピュータ５９が、出力ボリュームや、レシーバー２からの音声信号の入力ボリュームや、レシーバー２からの音声信号のミキシングの有無を制御する。
【００７７】
これにより、トランスミッター１を使用するレポーターが、トランスミッター１に接続したキーボード６によってオーディオミキサー５を遠隔操作することができる。
【００７８】
以上に説明したように、本発明を適用した音声伝送システムでは、トランスミッター１を使用するレポーターが、トランスミッター１に接続した汎用のヒューマン・インターフェース・デバイス（マウスやキーボード）によってビデオカメラやオーディオミキサーを遠隔操作することができる。
【００７９】
そして、トランスミッター１に接続するヒューマン・インターフェース・デバイスとしては、複雑な操作を行う場合には図７のシステムにおけるキーボード６のような多数の操作ボタンを有するデバイスを使い、単純な操作を行う場合には図３のシステムにおけるマウス４のような１〜２個程度の操作ボタンを有するデバイスを使うというように、用途に応じて操作ボタンの増減を自由に行うことが可能である。
【００８０】
また、トランスミッター１に接続するマウスやキーボードとしては、市販されているものの中からユーザーが操作しやすい形状や大きさのものを選択することが可能なので、ユーザーの好みに合った操作系を構築することができる。
【００８１】
さらに、トランスミッター１自体には遠隔操作のための操作ボタン類を設けないので、ワイヤレスマイクロホンのサイズは従来どおり小型に維持することができる。
【００８２】
これにより、ワイヤレスマイクロホンからビデオカメラやオーディオミキサーに音声信号を入力させる音声伝送システムにおいて、ワイヤレスマイクロホンのサイズを小型に維持したまま、トランスミッター１を使用しているユーザーがビデオカメラやオーディオミキサーを操作する際の操作性を改善することができる。
【００８３】
次に、以上に説明したトランスミッター１及びレシーバー２の別の構成例（図４以外の構成例）を、図１０〜図１３を用いて説明する。
【００８４】
図１０は、トランスミッター１及びレシーバー２の別の構成例を示すブロック図であり、図４と共通する部分には同一符号を付している。この例でも、トランスミッター１及びレシーバー２は、デジタル方式のワイヤレスマイクロホンである。
【００８５】
トランスミッター１には、変調回路１３，アンプ１４及び送信アンテナ１５によって送信される電波を主搬送波として、この主搬送波とは別の周波数帯の副搬送波を送信するための変調回路２６，アンプ２７及び送信アンテナ２８が設けられている。
【００８６】
この例でも、マイクロコンピュータ１７には、トランスミッター１にＵＳＢホスト機能を持たせるプログラムが格納されている。また、この例では、マイクロコンピュータ１７は、ＵＳＢ端子１６に接続されたＵＳＢ対応のヒューマン・インターフェース・デバイスの操作内容に対応した制御データ（図５や図８に示したような制御データ）を、変調回路２６に供給することによって送信アンテナ２８から副搬送波として送信させる。
【００８７】
レシーバー２には、受信アンテナ１８，アンプ１９及び復調回路２０とは別に、トランスミッター１から送信された副搬送波を受信して制御信号を復調する受信アンテナ２９，アンプ３０及び復調回路３１が設けられている。
【００８８】
復調回路３１で復調された制御データは、マイクロコンピュータ２４に送られる。マイクロコンピュータ２４は、この制御データが示す動作を命令する制御信号を通信端子２５から出力する。
【００８９】
図１１は、トランスミッター１及びレシーバー２のさらに別の構成例を示すブロック図であり、図４と共通する部分には同一符号を付している。この例では、トランスミッター１及びレシーバー２は、音声信号をアナログ方式で伝送する。
【００９０】
トランスミッター１には、可聴帯域外の周波数のトーン信号を発生するトーン信号発生回路３２と、加算回路３３とが設けられている。
【００９１】
ここでも、マイクロコンピュータ１７には、トランスミッター１にＵＳＢホスト機能を持たせるプログラムが格納されている。
【００９２】
また、マイクロコンピュータ１７には、トーン信号発生回路３２を制御するプログラムとして、ＵＳＢ端子１６に接続されたＵＳＢ対応のヒューマン・インターフェース・デバイスの操作内容に対応した周波数のトーン信号をトーン信号発生回路３２に発生させるプログラムが格納されている。
【００９３】
このトーン信号発生回路３２制御用のプログラムには、マウスの操作内容とトーン信号との対応関係を示すテーブルデータとして、例えば図１２Ａに示すような、左クリックと可聴帯域外の特定の周波数Ｆ１のトーン信号とを対応させ、右クリックと可聴帯域外の特定の周波数Ｆ２（≠Ｆ１）のトーン信号とを対応させたテーブルデータが用意されている。
【００９４】
トーン信号発生回路３２から発生したトーン信号は、加算回路３３でマイクロホン１０からの音声信号に重畳されて、変調回路１３に送られる。
【００９５】
レシーバー２には、復調回路２０で復調された音声信号からトーン信号を検出するトーン信号検出回路３４が設けられている。トーン信号検出回路３４で検出されたトーン信号は、マイクロコンピュータ２４に送られる。
【００９６】
マイクロコンピュータ２４には、例えば図１２Ｂに示すような、周波数Ｆ１のトーン信号と録音開始を示す制御データとを対応させ、周波数Ｆ２のトーン信号と録音終了を示す制御データとを対応させたテーブルデータが用意されている。
【００９７】
マイクロコンピュータ２４は、トーン信号検出回路３４からのトーン信号の周波数に対応してこのテーブルデータから読み出した制御データが示す動作を命令する制御信号を、通信端子２５から出力する。
【００９８】
なお、図１２には、図３のビデオカメラ３を遠隔操作するためのテーブルデータを示したが、図７のオーディオミキサー５を遠隔操作するためのテーブルデータとしても、同様にして、各操作内容と制御データとの間にそれぞれ特定の周波数のトーン信号を介在させたテーブルデータを用意すればよい。
【００９９】
図１３は、トランスミッター１及びレシーバー２のさらに別の構成例を示すブロック図であり、図４や図１０と共通する部分には同一符号を付している。この例でも、トランスミッター１及びレシーバー２は、音声信号をアナログ方式で伝送する。
【０１００】
この例でも、マイクロコンピュータ１７には、トランスミッター１にＵＳＢホスト機能を持たせるプログラムが格納されている。また、この例では、マイクロコンピュータ１７は、ＵＳＢ端子１６に接続されたＵＳＢ対応のヒューマン・インターフェース・デバイスの操作内容に対応した制御データ（図５や図８に示したような制御データ）を、変調回路２６に供給することによって送信アンテナ２８から副搬送波として送信させる。
【０１０１】
レシーバー２では、復調回路３１で復調された制御データが、マイクロコンピュータ２４に送られる。マイクロコンピュータ２４は、この制御データが示す動作を命令する制御信号を通信端子２５から出力する。
【０１０２】
トランスミッター１及びレシーバー２の構成として、この図１０〜図１３を用いて説明したような構成を採用しても、やはり、トランスミッター１に接続したＵＳＢ対応のマウスやキーボードによって図３のビデオカメラ３や図７のオーディオミキサー５を遠隔操作することができる。
【０１０３】
なお、以上の説明において、図５や図８に示したマウスやキーボードの操作内容と制御データとの対応関係はあくまで一例であり、トランスミッター１内のマイクロコンピュータ１７に用意するテーブルデータを変更することにより、適宜のヒューマン・インターフェース・デバイスの適宜の操作内容を、ビデオカメラやオーディオミキサーに対する適宜の制御データに対応させることが可能である。例えば、音声信号にエフェクト（特殊効果）を施す機能を有するオーディオミキサーの場合には、キーボードの適宜の操作内容を、このエフェクト機能をオン／オフさせる制御データに対応させることも可能である。
【０１０４】
また、以上の説明において、図３には、レコーダー一体型のビデオカメラに音声信号を入力させるシステムを示した。しかし、本発明は、映像及び音声の記録機能を有しない撮像装置に音声信号を入力させるシステムにおいて、その撮像装置を遠隔操作する（例えば撮影の開始・終了を遠隔操作する）ために適用してもよい。また本発明は、撮像機能を有しない映像及び音声の記録装置（例えばＶＴＲ）や音声専用の記録装置に音声信号を入力させるシステムにおいて、その記録装置を遠隔操作する（例えば記録の開始・終了を遠隔操作する）ために適用してもよい。
【０１０５】
また、以上の説明において、図７には、レシーバーとオーディオミキサーとがケーブルで接続されるシステムを示した。しかし、本発明は、トランスミッターから、レシーバーを内蔵したオーディオミキサーに音声信号を伝送するシステムにも適用してよい。
【０１０６】
図１４は、図４に示した構成のレシーバー２を、図９に示した構成のオーディオミキサー５に１個内蔵した例を示すブロック図であり、図４，図９と共通する部分には同一符号を付している。この例では、音声入力端子５１ａに替えて、Ｄ／Ａ変換器２２からの音声信号がアンプ５２ａに供給される。また、通信端子５８ａに替えて、アンパケット化回路２１で抽出された制御データが直接マイクロコンピュータ５９に送られ、この制御データに応じてマイクロコンピュータ５９が可変ボリューム５６や可変ボリューム５３ａやスイッチ５４ａを制御する。
【０１０７】
また、以上の説明では、トランスミッター１にＵＳＢ端子１６を設けている。しかし、ＵＳＢ端子以外の端子であって、ヒューマン・インターフェース・デバイスを接続可能な端子をトランスミッター１に設け、その端子に接続されたヒューマン・インターフェース・デバイスの操作内容に対応したデータをトランスミッター１から電波として送信するようにしてもよい。
【図面の簡単な説明】
【０１０８】
【図１】ワイヤレスマイクロホンの外観例を示す図である。
【図２】ワイヤレスマイクロホンを用いた音声伝送システムを例示する図である。
【図３】本発明を適用した音声伝送システムの一例を示す図である。
【図４】図３のトランスミッター及びレシーバーの構成例を示すブロック図である。
【図５】図３のシステムにおいてトランスミッター内のマイクロコンピュータが格納しているテーブルデータを例示する図である。
【図６】図３のビデオカメラの構成の概要を示すブロック図である。
【図７】本発明を適用した音声伝送システムの一例を示す図である。
【図８】図７のシステムにおいてトランスミッター内のマイクロコンピュータが格納しているテーブルデータを例示する図である。
【図９】図７のオーディオミキサーの構成の概要を示すブロック図である。
【図１０】図３のトランスミッター及びレシーバーの別の構成例を示すブロック図である。
【図１１】図１０の例においてトランスミッター，レシーバー内のマイクロコンピュータが格納しているテーブルデータを例示する図である。
【図１２】図３のトランスミッター及びレシーバーの別の構成例を示すブロック図である。
【図１３】図３のトランスミッター及びレシーバーの別の構成例を示すブロック図である。
【図１４】レシーバーを内蔵したオーディオミキサーの構成例を示すブロック図である。
【符号の説明】
【０１０９】
１  ワイヤレスマイクロホントランスミッター、  ２  ワイヤレスマイクロホンレシーバー、  ３  ビデオカメラ、  ４  マウス、  ５  オーディオミキサー、  ６  キーボード、  １２  パケット化回路、  １６  ＵＳＢ端子、  １７  マイクロコンピュータ、  ２１  アンパケット化回路、  ２４  マイクロコンピュータ、  ２５  通信端子、  ４２  映像信号処理部、  ４３  音声信号処理部、  ４４  記録再生部、  ４６  通信端子、  ４７  マイクロコンピュータ、  ５３ａ〜５３ｄ  可変ボリューム、  ５４ａ〜５４ｄ  スイッチ、  ５６  可変ボリューム、  ５８ａ〜５８ｄ  通信端子、  ５９  マイクロコンピュータ
【図１】
2008258910.tif 000003
【図２】
2008258910.tif 000004
【図３】
2008258910.tif 000005
【図４】
2008258910.tif 000006
【図５】
2008258910.tif 000007
【図６】
2008258910.tif 000008
【図７】
2008258910.tif 000009
【図８】
2008258910.tif 000010
【図９】
2008258910.tif 000011
【図１０】
2008258910.tif 000012
【図１１】
2008258910.tif 000013
【図１２】
2008258910.tif 000014
【図１３】
2008258910.tif 000015
【図１４】
2008258910.tif 000016